【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
非接触ユーザインターフェイスとの非接触対話によりシステムの機能を利用者が制御する非接触ユーザインターフェイスを有するシステムであって、
前記非接触ユーザインターフェイスが検出器サブシステム及びユーザフィードバックサブシステムを有し、
前記非接触ユーザインターフェイスが注意喚起モード及び制御モードのうちの一方で動作し、
前記注意喚起モードでは、前記検出器サブシステムが所定の注意喚起範囲内で前記利用者の存在を検出することに応答して、前記非接触ユーザインターフェイスが前記ユーザフィードバックサブシステムを制御して前記利用者に肯定応答を与え、
前記非接触ユーザインターフェイスは、前記検出器サブシステムが前記所定の注意喚起範囲内で前記利用者によって行われる所定の初期化ジェスチャを検出することに応答して前記注意喚起モードから前記制御モードに移行し、
前記制御モードでは、前記検出器サブシステムが前記所定の注意喚起範囲内で行われる前記利用者の所定の制御ジェスチャを検出することに応答して、前記非接触ユーザインターフェイスが前記機能を制御する、システムであって、
前記システムが追加のユーザインターフェイスを有し、
前記追加のユーザインターフェイスとの物理的接触により前記システムの更なる機能を前記利用者が制御し、
前記検出器サブシステムは、前記利用者が所定の方法で前記追加のユーザインターフェイスに接近することを検出すると、前記非接触ユーザインターフェイスにより前記利用者が前記機能を制御することを非活性化する、システム。
【請求項２】
前記システム検出器サブシステムは、前記利用者のジェスチャを前記所定の注意喚起範囲内の有向路として表すベクトルのベクトル主成分を検出し、前記有向路が前記利用者から前記追加のユーザインターフェイスの方向にあり、このベクトル主成分の変化率が所定の閾値の大きさを上回る場合、前記検出器サブシステムは、前記利用者が前記追加のユーザインターフェイスに手を伸ばしているのだとその動き又はジェスチャを解釈する、請求項１に記載のシステム。
【請求項３】
前記システムは、前記非接触ユーザインターフェイスにより前記利用者によって制御され得る１つ又は複数の機能を有し、前記１つ又は複数の機能のための前記所定の制御ジェスチャのうちのそれぞれのどの有向路も、前記利用者から前記追加のユーザインターフェイスへの方向にベクトル成分を有さない、請求項１又は２に記載のシステム。
【請求項４】
前記利用者が前記追加のユーザインターフェイスを実際に触り又は前記追加のユーザインターフェイスと実際に対話するとき、前記非接触ユーザインターフェイスが、前記機能を制御し始める前に前記機能が有した状態に前記機能をリセットする、請求項１に記載のシステム。
【請求項５】
前記所定の制御ジェスチャの特定のものの前記有向路が前記方向に沿ったベクトル主成分を有する場合、この特定の所定の制御ジェスチャに関連する機能が重大な機能でない、請求項２に記載のシステム。
【請求項６】
前記追加のユーザインターフェイスは、１つ若しくは複数のボタン、１つ若しくは複数の文字盤、１つ若しくは複数の摺動部、１つ若しくは複数のレバー、及び／又はタッチスクリーンを含む、請求項１に記載のシステム。
【請求項７】
前記システムの前記第１の機能は前記非接触ユーザインターフェイスにより前記利用者によって制御可能であり、前記システムの前記更なる機能は前記追加のユーザインターフェイスにより前記利用者によって制御可能であり、前記第１の機能は前記更なる機能と異なり又は前記第１の機能は前記更なる機能と同じである、請求項１に記載のシステム。
【請求項８】
前記ユーザフィードバックサブシステムは、前記注意喚起範囲内の異なる制御区域の中で前記制御ジェスチャが行われるかに応じて、同じ所定の制御ジェスチャに対して異なるように応答する、請求項１に記載のシステム。
【請求項９】
前記ユーザフィードバックサブシステムが、前記所定の制御ジェスチャに応答して、前記機能の状態の変化についての制御フィードバックを前記利用者に与える、
前記ユーザフィードバックサブシステムが、前記注意喚起範囲内で前記利用者を追跡する前記検出器サブシステムの制御下で前記肯定応答を動的に調節する、又は
前記ユーザフィードバックサブシステムが、前記注意喚起範囲内で前記利用者を追跡する前記検出器サブシステムの制御下で前記制御フィードバックを動的に調節する、請求項１に記載のシステム。
【請求項１０】
非接触ユーザインターフェイスを有するシステム上で使用するコンピュータ可読媒体上の制御ソフトウェアであって、
前記非接触ユーザインターフェイスとの非接触対話により前記システムの機能を利用者が制御し、
前記非接触ユーザインターフェイスが検出器サブシステム及びユーザフィードバックサブシステムを有し、
前記制御ソフトウェアが、注意喚起モードで前記非接触ユーザインターフェイスの動作を実施するための第１の命令を有し、
前記制御ソフトウェアが、制御モードで前記非接触ユーザインターフェイスの動作を実施するための第２の命令を有し、
前記第１の命令は、前記検出器サブシステムが所定の注意喚起範囲内で前記利用者の存在を検出することに応答して、前記ユーザフィードバックサブシステムを制御して前記利用者に肯定応答を与えるための第３の命令を含み、
前記第１の命令は、前記検出器サブシステムが前記所定の注意喚起範囲内で前記利用者によって行われる所定の初期化ジェスチャを検出することに応答して、前記非接触ユーザインターフェイスを前記注意喚起モードから前記制御モードに移行させるための第４の命令を含み、
前記第２の命令は、前記検出器サブシステムが前記所定の注意喚起範囲内で行われる前記利用者の所定の制御ジェスチャを検出することに応答して、前記機能を制御するための第５の命令を含む、
制御ソフトウェアであって、
前記システムが追加のユーザインターフェイスを有し、
前記追加のユーザインターフェイスとの物理的接触により前記システムの更なる機能を前記利用者が制御し、
前記第２の命令が、所定の方法で前記追加のユーザインターフェイスに接近する前記利用者を前記検出器サブシステムが検出するとき、前記非接触ユーザインターフェイスにより前記利用者が前記機能を制御することを非活性化するための第１０の命令を含む、制御ソフトウェア。
【請求項１１】
前記第２の命令が、前記所定の制御ジェスチャに応答して、前記機能の状態の変化についての制御フィードバックを前記利用者に与えるように前記ユーザフィードバックサブシステムを制御するための第６の命令を含む、
前記第１の命令が、前記注意喚起範囲内で前記利用者を追跡する前記検出器サブシステムの制御下で前記肯定応答を動的に調節するように前記ユーザフィードバックサブシステムを制御するための第７の命令を含む、又は
前記第２の命令が、前記注意喚起範囲内で前記利用者を追跡する前記検出器サブシステムの制御下で前記制御フィードバックを動的に調節するように前記ユーザフィードバックサブシステムを制御するための第９の命令を含む、請求項１０に記載の制御ソフトウェア。
【請求項１２】
システムとの非接触対話により前記システムの機能を利用者が制御できるようにする方法であって、
前記方法には注意喚起モードプロセスと制御モードプロセスがあり、
前記注意喚起モードプロセスにおいて、所定の注意喚起範囲内で前記利用者の存在を検出することに応答して、前記利用者に肯定応答を与えるステップと、
前記所定の注意喚起範囲内で前記利用者によって行われる所定の初期化ジェスチャを検出することに応答して、前記注意喚起モードプロセスから前記制御モードプロセスに移行するステップと、
前記制御モードプロセスにおいて、前記所定の注意喚起範囲内で行われる前記利用者の所定の制御ジェスチャを検出することに応答して前記機能を制御するステップと
を含む、方法であって、
前記システムが追加のユーザインターフェイスを有し、
前記追加のユーザインターフェイスとの物理的接触により前記システムの更なる機能を前記利用者が制御し、
前記方法が、所定の方法で前記追加のユーザインターフェイスに接近する前記利用者を検出するとき、前記非接触対話による前記機能の前記制御を非活性化するステップを含む、方法。
【請求項１３】
前記制御モードプロセスが、前記所定の制御ジェスチャに応答して、前記機能の状態の変化についての制御フィードバックを前記利用者に与えるステップを含む、
前記注意喚起モードプロセスが、前記注意喚起範囲内で前記利用者を追跡するステップの制御下で前記肯定応答を動的に調節するステップを含む、又は
前記制御モードプロセスが、前記注意喚起範囲内で前記利用者を追跡するステップの制御下で前記制御フィードバックを動的に調節するステップを含む、請求項１２に記載の方法。
【請求項１４】
システムで使用するためのユーザインターフェイスであって、前記ユーザインターフェイスは、非接触ユーザインターフェイスとの非接触対話により前記システムの機能を利用者が制御する非接触ユーザインターフェイスを含み、
前記非接触ユーザインターフェイスが検出器サブシステム及びユーザフィードバックサブシステムを有し、
前記非接触ユーザインターフェイスが注意喚起モード及び制御モードのうちの一方で動作し、
前記注意喚起モードでは、前記検出器サブシステムが所定の注意喚起範囲内で前記利用者の存在を検出することに応答して、前記非接触ユーザインターフェイスが前記ユーザフィードバックサブシステムを制御して前記利用者に肯定応答を与え、
前記非接触ユーザインターフェイスは、前記検出器サブシステムが前記所定の注意喚起範囲内で前記利用者によって行われる所定の初期化ジェスチャを検出することに応答して前記注意喚起モードから前記制御モードに移行し、
前記制御モードでは、前記検出器サブシステムが前記所定の注意喚起範囲内で行われる前記利用者の所定の制御ジェスチャを検出することに応答して、前記非接触ユーザインターフェイスが前記機能を制御する、ユーザインターフェイスであって、
前記ユーザインターフェイスが追加のユーザインターフェイスを有し、
前記追加のユーザインターフェイスとの物理的接触により前記システムの更なる機能を前記利用者が制御し、
前記検出器サブシステムは、前記利用者が所定の方法で前記追加のユーザインターフェイスに接近することを検出すると、前記非接触ユーザインターフェイスにより前記利用者が前記機能を制御することを非活性化する、ユーザインターフェイス。
【請求項１５】
前記ユーザフィードバックサブシステムが、前記所定の制御ジェスチャに応答して、前記機能の状態の変化についての制御フィードバックを前記利用者に与える、
前記ユーザフィードバックサブシステムが、前記注意喚起範囲内で前記利用者を追跡する前記検出器サブシステムの制御下で、前記肯定応答を動的に調節する、又は
前記ユーザフィードバックサブシステムが、前記注意喚起範囲内で前記利用者を追跡する前記検出器サブシステムの制御下で、前記制御フィードバックを動的に調節する、請求項１４に記載のユーザインターフェイス。